(57)【要約】  略円筒形の部分を有し男性の人間からの採尿に適するシステムを男性の人間の陰茎に取り付けるのに適した取付部材であって、伸縮性フィルム材料を含み、略円筒形の部分の第１端部において第１開口部を有すると共に他方の端部において第２開口部を有し、第１開口部が第２開口部よりも陰茎基部から遠くにあって少なくとも陰茎の陰茎亀頭が略円筒形の部分の内側に配置され得るように構成されており、且つ、第１開口部が巻き上げ部分の内側に配置されると共に第２開口部が巻き上げ部分の外側に配置されるようなリング状の形状となるように少なくとも部分的に巻き上げられた取付部材の伸縮性フィルム材料が伸張されておらず且つ巻き上げられていないとき、略円筒形の部分の巻き上げ部分の内径が、４５ｍｍ未満である。このようにして、効果的且つ容易に取り付けられる取付部材が提供される。
2013519408.tif 000002
【特許請求の範囲】
【請求項１】
略円筒形の部分を有し男性の人間からの採尿に適したシステムを男性の人間の陰茎に取り付けるのに適した取付部材であって、
ａ．伸縮性フィルム材料を含み、
ｂ．前記略円筒形の部分の第１端部において第１開口部を有すると共に他方の端部において第２開口部を有し、
ｃ．前記第１開口部が前記第２開口部よりも陰茎基部から遠くにあって、少なくとも陰茎の陰茎亀頭が前記略円筒形の部分の内側に配置され得るように構成されており、且つ、
ｄ．前記第１開口部が巻き上げ部分の内側に配置されると共に前記第２開口部が前記巻き上げ部分の外側に配置されるようなリング状の形状となるように少なくとも部分的に巻き上げられた取付部材において、
当該取付部材の前記伸縮性フィルム材料が伸張されておらず且つ巻き上げられていないとき、前記略円筒形の部分の前記巻き上げ部分の内径が、４５ｍｍ未満であることを特徴とする取付部材。
【請求項２】
前記第２開口部が伸張されていないとき、前記第２開口部の径が２０ｍｍよりも大きいことを特徴とする請求項１に記載の取付部材。
【請求項３】
前記略円筒形の部分の前記伸縮性フィルム材料が伸張されておらず且つ巻き上げられていないとき、前記巻き上げ部分の内径と前記第２開口部の径とが、前記略円筒形の部分の前記巻き上げ部分の内径よりも少なくとも１０％大きくなるように前記巻き上げ部分と前記第２開口部とが伸張されることを特徴とする請求項１又は請求項２のいずれか１つに記載の取付部材。
【請求項４】
前記略円筒形の部分の前記伸縮性フィルム材料が、０．０２から０．５０の間の「１００％モジュラス」を有することを特徴とする請求項１から請求項３のいずれか１つに記載の取付部材。
【請求項５】
請求項１から請求項４のいずれか１つに記載の取付部材と、前記巻き上げ部分の内径が非伸張内径と比較して少なくとも１０％増大されるように前記略円筒形の部分の前記巻き上げ部分を伸張させるべく構成されたアプリケーターと、を備える部品キット。
【請求項６】
前記アプリケーターが、前記略円筒形の部分の前記巻き上げ部分の内側に配置されたことを特徴とする請求項５に記載の部品キット。
【請求項７】
前記アプリケーターが、前記略円筒形の部分の前記巻き上げ部分の内側表面に対して少なくとも部分的に隣接して配置されたことを特徴とする請求項５に記載の部品キット。
【請求項８】
前記アプリケーターが、少なくとも２つの異なる形状構成、すなわち、前記巻き上げ部分の内径が第１の径である第１の形状構成と、前記巻き上げ部分の内径が前記第１の径と比較して少なくとも２０％増大させられるように前記巻き上げ部分が伸張された第２の形状構成と、を呈し且つ保持し得るように構成されていることを特徴とする請求項５から請求項７のいずれか１つに記載の部品キット。
【請求項９】
当該部品キットが、前記取付部材の前記略円筒形の部分の前記第２開口部に配置された遮蔽要素を更に具備し、該遮蔽要素が、前記巻き上げ部分が巻き上げられておらず且つ伸張されていないとき、前記略円筒形の部分の前記巻き上げ部分の内径よりも少なくとも２ｃｍ大きい外径を有したフランジを具備することを特徴とする請求項１から請求項４のいずれか１つに記載の取付部材を具備した部品キット、又は、請求項５から請求項８のいずれか１つに記載の部品キット。
【請求項１０】
前記遮蔽要素が前記取付部材と一体化されており、又は、前記アプリケーターと一体化されていることを特徴とする請求項９に記載の部品キット。
【請求項１１】
男性の使用者から採尿するためのシステムであって、
ａ．着用時間中に尿を採集及び／又は貯蔵するための尿容器と、
ｂ．請求項１から請求項４のいずれか１つに記載の取付部材又は請求項５から請求項１０のいずれか１つに記載の部品キットと、を備える採尿するためのシステム。
【請求項１２】
取付部材を陰茎に取り付ける方法であって、
ａ．略円筒形の部分を備える取付部材を提供する工程であって、
ｉ．伸縮性フィルム材料を含み、
ｉｉ．前記略円筒形の部分の第１端部において第１開口部を有すると共に他方の端部において第２開口部を有し、
ｉｉｉ．前記第１開口部が前記第２開口部よりも陰茎基部から遠くにあって、少なくとも陰茎の陰茎亀頭が前記略円筒形の部分の内側に配置され得るように構成されており、且つ、
ｉｖ．前記第１開口部が巻き上げ部分の内側に配置されると共に前記第２開口部が前記巻き上げ部分の外側に配置されるようなリング状の形状となるように少なくとも部分的に巻き上げられた取付部材を提供する工程と、
ｂ．前記略円筒形の部分の前記伸縮性フィルム材料が伸張されておらず且つ巻き上げられていないときに、前記巻き上げ部分の内径及び前記第２開口部の径が、前記略円筒形の部分の前記巻き上げ部分の内径よりも少なくとも１％大きくなるように、前記巻き上げ部分及び前記第２開口部を伸張する工程と、
ｃ．陰茎亀頭と陰茎基部との間の位置にある陰茎棒状部の外側表面上に前記取付部材を配置する工程と、
ｄ．陰茎に沿った方向且つ陰茎の基部から遠ざかる方向に前記取付部材の少なくとも一部分を巻き上げ解除する工程とを含む方法。
【請求項１３】
前記取付部材に加えられる伸張力を解放させると共に、前記取付部材を陰茎の外側表面上に配置した後に前記取付部材が収縮することを可能とさせる工程を更に有する請求項１２に記載の方法。
【請求項１４】
陰茎のおおよその外径を測定する工程と、陰茎の前記おおよその外径に適切にサイズ指定された取付部材を提供する工程と、を更に有する請求項１２から請求項１３のいずれか１つに記載の方法。
【請求項１５】
請求項１２から請求項１４のいずれか１つに記載の方法による使用のための請求項１から請求項４のいずれか１つに記載の取付部材。
【請求項１６】
請求項１２から請求項１４のいずれか１つに記載の方法における使用のための請求項１から請求項４のいずれか１つに記載の取付部材の製造における伸縮性フィルム材料の使用。
【請求項１７】
伸縮性フィルム材料を含む略円筒形の部分を具備し男性の人間から採尿するためのシステムを男性の人間の陰茎に取り付けるのに適した取付部材であって、前記略円筒形の部分が、当該略円筒形の部分の第１端部において第１開口部を有すると共に他方の端部において第２開口部を有し、当該取付部材が、前記第１開口部が前記第２開口部よりも陰茎基部から遠くにあって少なくとも陰茎の陰茎亀頭が前記略円筒形の部分の内側に配置され得るように構成されている取付部材において、前記略円筒形の部分の前記伸縮性フィルム材料が、０．０２から０．５０の間の「１００％モジュラス」を有することを特徴とする取付部材。
【請求項１８】
部品キットであって、
ａ．略円筒形の部分を具備し男性の人間から採尿するためのシステムを男性の人間の陰茎に取り付けるのに適している取付部材であって、
ｉ．伸縮性フィルム材料を含み、
ｉｉ．前記略円筒形の部分の第１端部において第１開口部を有すると共に他方の端部において第２開口部を有し、
ｉｉｉ．前記第１開口部が前記第２開口部よりも陰茎基部から遠くにあって、少なくとも陰茎の陰茎亀頭が前記略円筒形の部分の内側に配置され得るように構成されており、且つ、
ｉｖ．前記第１開口部が巻き上げ部分の内側に配置されると共に前記第２開口部が前記巻き上げ部分の外側に配置されるようなリング状の形状となるように少なくとも部分的に巻き上げられた取付部材と、
ｂ．前記巻き上げ部分の内径が、その伸張されていない内径よりも少なくとも１０％増大させられるように、前記巻き上げ部分を伸張するべく構成されているアプリケーターと、を備える部品キット。
【請求項１９】
伸縮性フィルムを含む略円筒形の部分を具備し男性の人間から採尿するためのシステムを男性の人間の陰茎に取り付けるのに適した取付部材であって、前記略円筒形の部分が、当該略円筒形の部分の第１端部において第１開口部を有すると共に他方の端部において第２開口部を有し、及び、当該取付部材が、前記第１開口部が前記第２開口部よりも陰茎基部から遠くにあって少なくとも陰茎の陰茎亀頭が前記略円筒形の部分の内側に配置され得るように構成されている取付部材において、当該取付部材が前記略円筒形の部分の前記第２開口部に配置された遮蔽要素を更に備えることを特徴とする取付部材。
【発明の詳細な説明】
【技術分野】
【０００１】
本発明は、採尿システムを陰茎に取り付けるための取付部材と、採尿システムとに関する。
【０００２】
更に詳細には、本発明は、男性の人間から採尿するためのシステムを男性の人間の陰茎に取り付けるのに適した取付部材に関し、この取付部材は、伸縮性フィルム材料を含む略円筒形の部分を備え、この略円筒形の部分は、その第１端部に第１開口部を有し、且つ、その他方の端部に第２開口部を有し、第１開口部が第２開口部に比べて陰茎基部からより遠くに離れている形で少なくとも陰茎の陰茎亀頭がその略円筒形の部分の内側に配置されることが可能なように構成されており、且つ、第１開口部が巻き上げ部分の内側に位置しており且つ第２開口部が巻き上げ部分の外側に位置しているように、リング状の形状となるように少なくとも部分的に巻き上げられている。
【０００３】
更に、本発明は、取付部材を陰茎に取り付ける方法と、採尿システムと取付部材を陰茎に取り付ける方法とに関する。
【背景技術】
【０００４】
男性用の採尿システムは、２つの主要なタイプ、すなわち、尿素（ｕｒｅａ）の中に挿入されるカテーテル又は他の器具を使用する内部タイプと、ウリシース（ｕｒｉｓｈｅａｔｈ）が陰茎の外側に取付けられる外部タイプとに分けられ得る。
【０００５】
外部採尿システムに関する公知の問題は、ウリシースが所定の場所に維持し損ねるためにこうしたシステムが陰茎から外れることが多いということである。更に、当業者は、多くの患者の陰茎が非常に小さく、固くない形状を有する可能性があり、且つ、皺のよった皮膚を有する可能性があるので、例えば高齢又は肥満の人間のような様々な患者にウリシースを取り付けることが困難となり得ることを理解している。
【０００６】
すべての公知のウリシースは、巻き上げられた形状で提供され、且つ、尿素の出口の付近に取り付けられ、コンドームに類似した方法で陰茎基部に向かう方向に陰茎上で巻かれる。大抵の場合には、この手続きは、上述した陰茎の性質のため困難である。
【０００７】
多くの人々が、ウリシースの可撓性を改善することと、ウリシース上に接着剤を塗布することと、陰茎に対するウリシースのフィット性を最適化することと、ウリシースの取り付け方に関する看護婦向けの教材を作成することとによって、これらの問題を解決しようと試みてきた。
【０００８】
特許文献１と特許文献２が、可撓性のコンドーム状材料を使用することによって、且つ、アプリケーターを使用することによって、これらの問題を解決することを試みている。しかし、これらの特許文献は、ぴったりしたウリシースを弛緩した陰茎に取り付けるという課題を解決していない。
【先行技術文献】
【特許文献】
【０００９】
【特許文献１】欧州特許第００６８７１２号明細書
【特許文献２】仏国特許発明第２７５２１５８号明細書
【発明の概要】
【発明が解決しようとする課題】
【００１０】
従って、本特許の目的の１つは、例えば高齢者の陰茎のような小さな且つ／又は弛緩した陰茎を具備する人間に取り付けることが容易であり、且つ、偶発的に脱落することがない、採尿システムのための比較的簡易な取付部材を提供することである。
【課題を解決するための手段】
【００１１】
本発明は、第１の態様において、陰茎にシステムを取り付けるのに適している取付部材に関し、その取付部材は、略円筒形の形状である部分を有する少なくとも１つの伸縮性フィルム材料と、少なくとも２つの開口部とを具備し、この２つの開口部は、陰茎の外側表面の径よりも大きい径に伸張されることが可能である。
【００１２】
更に明確に述べると、本発明は、取付部材の伸縮性フィルム材料が伸張させられておらず且つ巻き上げられていないときに、略円筒形の部分の巻き上げ部分の内径が４５ｍｍ未満である、導入部パラグラフで言及されている通りの取付部材を提供することによって、上記の目的を実現する。このようにして、陰茎の内側部分上に配置することが容易であり且つその後で陰茎の基部から遠ざかる方向に巻き上げ解除され得る取付部材が提供される。その材料の伸縮性と円筒形部分の径とによって、取付部材は陰茎上に確実なフィット性を形成する。
【００１３】
４５ｍｍという値は、平均的な陰茎径の統計学的径を反映するように選択されている。成人男性人口中に見いだされる最も一般的な陰茎径を対象として含めるためには、弛緩した内径は４５ｍｍ未満とするべきであり、それによって陰茎に取り付けられるときに有効なシールが実現される。実際には、径が４５ｍｍ未満の範囲内に入る、様々な径の一連の取付部材が供給される。当然であるが、この範囲を逸脱する陰茎径が存在するが、商業的に重要な範囲は４５ｍｍ未満である。しかしながら、特定の実施形態において、弛緩した内径が４０ｍｍ未満、又は、３８ｍｍ未満、又は、３５ｍｍ未満ともなり得る。
【００１４】
１つの実施形態において、略円筒形の部分が伸縮性フィルム材料で作られているということに留意されたい。更に、この略円筒形の部分は、この略円筒形の部分の内径が伸張され得るように構成されることもできる。
【００１５】
第２の態様において、本発明は、男性の人間から採尿するための採尿に適したシステムに関しており、このシステムは、着用時間中に尿を採集及び／又は貯蔵するための尿容器と、このシステムを陰茎に取り付けるための取付部材とを備え、この取付部材は、略円筒形の部分を有する少なくとも１つの伸縮性フィルム材料と、少なくとも２つの開口部とを備え、この２つの開口部は、陰茎の外側表面の径よりも大きな径に伸張され得る。
【００１６】
更に詳細には、本発明は、男性の人間から採尿するためのシステムに関しており、そのシステムは、本発明の第１の態様に関して上述した取付部材を具備する。
【００１７】
第３の態様において、本発明は、採尿システムを陰茎に結合するのに適した取付部材を陰茎に取り付ける方法に関しており、この方法は、略円筒形の部分を有する伸縮性フィルム材料を含む取付部材を提供する工程と、陰茎棒状部（ｐｅｎｉｓ  ｒｏｄ）上の内側位置（ｉｎｗａｒｄ  ｐｏｓｉｔｉｏｎ）において陰茎の表面上に取付部材の少なくとも一部分を配置する工程と、陰茎の基部から遠ざかるように陰茎の外側方向に取付部材の少なくとも一部分を巻き上げ解除する工程とを含む。
【００１８】
本発明の文脈では、陰茎の「内側位置」は結合（ｓｙｍｐｈｙｓｉｓ）と陰茎亀頭との間の位置として定義され、一方、「外側位置（ｏｕｔｗａｒｄ  ｐｏｓｉｔｉｏｎ）」は陰茎亀頭上の位置として定義される。
【００１９】
更に詳細には、本発明の第３の態様は、取付部材を陰茎に取り付ける方法に関しており、この方法は、略円筒形の部分を有する取付部材を提供する工程であって、この略円筒形の部分は、伸縮性フィルム材料を備え、その第１の端部に第１開口部を有し且つその他方の端部に第２開口部を有し、陰茎の少なくとも陰茎亀頭がその略円筒形の部分の内側に配置されることが可能であり且つ第１開口部が第２開口部に比べて陰茎の基部からより遠くにあるように構成されており、且つ、第１開口部が巻き上げ部分の内側に配置され且つ第２開口部が巻き上げ部分の外側に配置されるように、リング状の形状をとる形で少なくとも部分的に巻き上げられている工程と、巻き上げ部分の内径と第２開口部の径とが、略円筒形の部分の伸縮性フィルム材料が伸張されられておらず且つ巻き上げられていないときに、略円筒形の部分の巻き上げ部分の内径よりも少なくとも１％大きいように、巻き上げ部分と第２開口部とを伸張させる工程と、陰茎亀頭と陰茎基部との間の位置において陰茎棒状部（ｐｅｎｉｓ  ｒｏｄ）の外側表面上に取付部材を配置する工程と、陰茎に沿った方向に且つ陰茎の基部から遠ざかるように取付部材の少なくとも一部分を巻き上げ解除する工程と、を含む。
【００２０】
この方法の別の実施形態において、この方法は、更に、陰茎の外側表面上に取付部材を配置した後に、その取付部材に加えられる伸張力を解除し且つ取付部材が収縮することを可能にする工程を含む。
【００２１】
更に別の実施形態において、この方法は、更に、陰茎のおおよその外径を測定する工程と、陰茎のおおよその外径に対して適切にサイズ指定された取付部材を提供する工程とを含む。
【００２２】
上述の方法が、そのシステムの使用者の状態を治癒又は安定化させることはないので、療法による治療方法ではないということに留意されたい。更に、この方法は、不適正に実施されても、使用者に対して著しい健康上のリスクを結果的に生じさせることはない。従って、未熟練の医療スタッフがこの方法を実施することが可能である。
【００２３】
本発明の第１の態様は、陰茎にシステムを取り付けるのに適している取付部材に関しており、その取付部材は、略円筒形の形状である部分を有する少なくとも１つの伸縮性フィルム材料と、少なくとも２つの開口部とを具備し、この２つの開口部は、陰茎の外側表面の径よりも大きい径に伸張されることが可能である。
【００２４】
本発明の文脈において、「取付部材」という用語は、陰茎に接触して構成された部材及び陰茎に取付けられて構成された部材として理解されたい。
【００２５】
本発明の文脈において、「伸縮性フィルム」という用語は、力によって伸張させられることが可能であり且つその力が取り除かれると収縮する薄いシート状の材料として理解されたい。このシート状材料は、特定の場合には、本質的にその当初の形状に戻り得る。
【００２６】
本発明の文脈では、「略円筒形の形状」という用語は、パイプ、円筒、切頭円錐、ダイヤモンド形、様々な断面径を有する円筒形、楕円円筒、及び、規則的又は不規則的な断面形状を有する上記の又は他の円筒形構造の組み合わせとして理解されたい。
【００２７】
陰茎の皮膚表面に対するシールを形成することが困難なので、伸縮性フィルム材料が使用される。この材料が、変形する陰茎形状に対して伸張及び／又は形状的に適合するために十分に伸縮性があるだけでなく、所定の位置に留まるように設計されていることが重要であり、これが、略円筒形である形状のサイズと伸縮性が重要であることの理由である。
【００２８】
本発明の第１の態様の１つの実施形態において、伸縮性フィルムの伸縮性と陰茎の可撓性との組み合わせが、陰茎に対する取付部材のシール及び／又は締め付け固定を実現する。
【００２９】
取付部材の１つの実施形態において、この取付部材の略円筒形の部分が、少なくともこの取付部材の着用時間中に尿に直接的に接触している区域内において、実質的に非透水性である。
【００３０】
本発明の第１の態様の１つの実施形態において、略円筒形の形状である伸縮性フィルムの少なくとも一部分の内径が陰茎棒状部の外径よりも小さい。本発明の第１の態様の１つの実施形態において、略円筒形の形状である伸縮性フィルムの少なくとも一部分の径は、陰茎棒状部の径よりも０．５％から９０％小さい。本発明の第１の態様の１つの実施形態において、略円筒形の形状である伸縮性フィルムの少なくとも一部分の径は、陰茎棒状部の径よりも１％から５０％小さい。本発明の第１の態様の１つの実施形態において、略円筒形の形状である伸縮性フィルムの少なくとも一部分の径は、陰茎棒状部の径よりも５％から２５％小さい。本発明の第１の態様の１つの実施形態において、略円筒形の形状である伸縮性フィルムの少なくとも一部分の径は、陰茎棒状部の径よりも１５％から３０％小さい。
【００３１】
この明細書に関しては、「陰茎の外径」について説明するとき、この径が、世界の成人男性の人口の陰茎径の約９０パーセンタイル内に見いだされることが可能な陰茎径であるべきことに留意されたい。従って、「陰茎の径」は単一の値と解釈されるべきではなく、値の範囲として解釈されなければならない。こうしたデータは容易には入手できないが、当業者は、それを概算する方法を理解する。「陰茎の径」は、必要に応じて、１５ｍｍから５０ｍｍの間の範囲、１５ｍｍから４５ｍｍの間の範囲、２０ｍｍから４５ｍｍの間の範囲、２０ｍｍから４０ｍｍの間の範囲、２５ｍｍから３６ｍｍの間の範囲、又は、３２ｍｍから４４ｍｍの間の範囲に制限され得る。更に、男性の人間の陰茎の外径が時間の経過に応じて変化するので、本明細書で言及する陰茎の外径は、人間の陰茎の弛緩した外径又は最小の外径を意味しなければならない。
【００３２】
１つの実施形態において、２つの開口部の径とフィルム材料は、その２つの開口部が陰茎の外径よりも大きいサイズに伸張可能であるように設計されつつも、その２つの開口部の弛緩した径が陰茎の外径よりも小さいように設計されるべきである。このようにして、その開口部が伸張されるときに陰茎上に取付部材を付けることと、その次に、その開口部が収縮することが可能にされるときに適切なシールを形成することとが可能である。
【００３３】
本発明の第１の態様の１つの実施形態において、２つの開口部の径が少なくとも１４ｍｍである。本発明の第１の態様の１つの実施形態において、２つの開口部の径が少なくとも１６ｍｍである。本発明の第１の態様の１つの実施形態において、２つの開口部の径が少なくとも１８ｍｍである。本発明の第１の態様の１つの実施形態において、２つの開口部の径が少なくとも２０ｍｍである。本発明の第１の態様の１つの実施形態において、２つの開口部の径が少なくとも２２ｍｍである。
【００３４】
本発明の第１の態様の１つの実施形態において、第２開口部が伸張されていないときに、第２開口部の径は２０ｍｍよりも大きい。この場合も同様に、２０ｍｍという値は、この特定の実施形態に関する最小値として、統計学的範囲に基づいて選択されている。他の実施形態において、第２開口部の径は２２ｍｍよりも大きくすることができ、又は、２４ｍｍよりも大きくすることができ、又は、２６ｍｍよりも大きくすることができる。
【００３５】
伸縮性フィルムの伸縮性を選択するときには、（締め付け固定と不快感との両方に関する）取付力が重要であり、取付けの容易さが考慮される。従って、伸縮性フィルム材料の物理的特性が重要である。
【００３６】
本発明の文脈では、「伸縮性フィルム材料の伸張」という用語がその材料の伸縮性を意味し、（パーセント単位で測定された）破断時の伸張としての標準的な試験方法ＡＳＴＭ  Ｄ６３８に従って測定される。
【００３７】
本発明の第１の態様の１つの実施形態において、略円筒形である伸縮性フィルム材料は１００％から２０００％の間で伸張させられることが可能である。本発明の第１の態様の１つの実施形態において、略円筒形である伸縮性フィルム材料は４００％から１９００％の間で伸張させられることが可能である。本発明の第１の態様の１つの実施形態において、略円筒形である伸縮性フィルム材料は６００％から１７００％の間で伸張されることが可能である。本発明の第１の態様の１つの実施形態において、略円筒形である伸縮性フィルム材料は１０００％から１５００％の間で伸張させられることが可能である。
【００３８】
本発明の文脈では、「３００％モジュラス」という用語は、標準的な試験方法ＡＳＴＭ  Ｄ６３８に従って測定される、所与の寸法のサンプルを３００％伸張させるために必要とされる応力（ＭＰａで測定される）を意味する。
【００３９】
本発明の第１の態様の１つの実施形態において、略円筒形の形状である伸縮性フィルム材料は、０．０５から１．００の間の３００％モジュラスを有する。本発明の第１の態様の１つの実施形態において、略円筒形の形状である伸縮性フィルム材料は、０．０７から０．６０の間の３００％モジュラスを有する。本発明の第１の態様の１つの実施形態において、略円筒形の形状である伸縮性フィルム材料は、０．０８から０．４０の間の３００％モジュラスを有する。本発明の第１の態様の１つの実施形態において、略円筒形の形状である伸縮性フィルム材料は、０．０９から０．３０の間の３００％モジュラスを有する。
【００４０】
本発明の文脈では、「１００％モジュラス」という用語は、標準的な試験方法ＡＳＴＭ  Ｄ６３８に従って測定される、所与の寸法のサンプルを１００％伸張させるために必要とされる応力（ＭＰａで測定される）を表す。
【００４１】
本発明の第１の態様の１つの実施形態において、略円筒形の形状である伸縮性フィルム材料は、０．０２から０．５０の間の１００％モジュラスを有する。本発明の第１の態様の１つの実施形態において、略円筒形の形状である伸縮性フィルム材料は、０．０３から０．３０の間の１００％モジュラスを有する。本発明の第１の態様の１つの実施形態において、略円筒形の形状である伸縮性フィルム材料は、０．０４から０．２０の間の１００％モジュラスを有する。本発明の第１の態様の１つの実施形態において、略円筒形の形状である伸縮性フィルム材料は、０．０５から０．１５の間の１００％モジュラスを有する。
【００４２】
伸縮性フィルム材料のための使用材料のタイプと使用材料の厚さの両方が伸張力に影響を与えるということに留意されたい。従って、伸縮性フィルムのための材料を選択する際には、材料の選択と壁厚さの選択とが両方とも重要である。
【００４３】
本発明の第１の態様の１つの実施形態において、伸縮性フィルム材料は、熱可塑性エラストマー及びシリコーンを含むグループから選択される。本発明の第１の態様の１つの実施形態において、伸縮性フィルム材料は、１０から９０の間の、又は、１５から８０の間のショアＯＯ硬度を有する。本発明の第１の態様の１つの実施形態において、伸縮性フィルム材料は、２０から７０の間のショアＯＯ硬度を有する。本発明の第１の態様の１つの実施形態において、伸縮性フィルム材料は、２５から６５の間のショアＯＯ硬度を有する。
【００４４】
本発明の第１の態様の１つの実施形態において、略円筒形の形状である伸縮性フィルムは、陰茎を受け入れるようになっている第２開口部を、その伸縮性フィルム材料の巻き上げられていない弛緩した非伸張形状構成において有し、上記第２開口部の内径が陰茎の外径と同一か又はそれより小さい。本発明の第１の態様の１つの実施形態において、取付部材の第２開口部は、陰茎の最小径サイズよりも１％から９０％小さい弛緩径を有する。本発明の第１の態様の１つの実施形態において、取付部材の第２開口部は、陰茎の最小径サイズよりも５％から４０％小さい径を有する。本発明の第１の態様の１つの実施形態において、取付部材の第２開口部は、陰茎の最小径サイズよりも１０％から２５％小さい径を有する。
【００４５】
本発明の第１の態様の１つの実施形態において、取付部材は、陰茎上の内側位置に配置されるようになっている。本発明の第１の態様の１つの実施形態において、取付部材は、陰茎の基部から遠ざかる方向に、陰茎上の内側位置から外側方向に巻き上げ解除されるようになっている。
【００４６】
本発明の第１の態様の１つの実施形態において、略円筒形の形状である伸縮性フィルムは、着用時間中に陰茎を受け入れて陰茎をシールするようになっている区域／部分を有し、上記区域／部分は、陰茎の径と同一か又は陰茎の径よりも小さい径を有する。本発明の第１の態様の１つの実施形態において、陰茎を受け入れて陰茎をシールするようになっている区域／部分は、内側位置における陰茎の径より１％から８０％小さい径を有する。本発明の第１の態様の１つの実施形態において、陰茎を受け入れて陰茎をシールするようになっている区域／部分は、内側位置における陰茎の径より３％から４０％小さい径を有する。本発明の第１の態様の１つの実施形態において、陰茎を受け入れて陰茎をシールするようになっている区域／部分は、内側位置における陰茎の径より６％から２０％小さい径を有する。
【００４７】
陰茎に取付部材を取り付けるために、巻き上げ部分と第２開口部は、略円筒形の部分の伸縮性フィルム材料が伸張させられておらず且つ巻き上げられていないときに、巻き上げ部分の内径と第２開口部の径とが略円筒形の部分の巻き上げ部分の内径よりも少なくとも１０％大きいように伸張されることが可能である。他の実施形態において、その径は少なく２０％、３０％、４０％、５０％、６０％、７０％、８０％、９０％、又は、１００％伸張されることが可能である。径が広げられる量が大きければ大きいほど、取付部材を陰茎上に取り付けることが容易である。
【００４８】
本発明の第１の態様の１つの実施形態において、取付部材は、陰茎の皮膚の表面に取付部材をより確実に取り付けるための締め付け固定要素を具備する。
【００４９】
本発明の文脈では、「締め付け固定要素」という用語を、陰茎に対する取付部材の取り付けを補助し、且つ、採尿システムの着用時間中に取付部材が所定の位置に留まることを補助する、取付部材のあらゆる形態又は形状又は区域として理解されたい。
【００５０】
本発明の文脈では、「着用時間」とうい用語を、取付部材が陰茎上に留まることが意図されている時間として理解されたい。こうした時間は、患者の状態に応じて、数分間から数日間（例えば２日）まで変化する。
【００５１】
本発明の第１の態様の１つの実施形態において、締め付け固定要素は、陰茎の皮膚の表面に取付部材を取り付けるための接着剤を具備する。本発明の第１の態様の１つの実施形態において、伸縮性フィルム材料の少なくとも一区域が、陰茎の皮膚の表面に取り付けるための接着剤を具備する。本発明の第１の態様の１つの実施形態において、この接着剤は非吸収性の接着剤である。こうした接着剤は、例えば、アクリル樹脂接着剤、ポリウレタン接着剤、シリコーン接着剤等のような任意の接着剤であってよい。本発明の第１の態様の１つの実施形態において、陰茎に取付部材を取り付けるための接着剤はシリコーン接着剤である。
【００５２】
接着剤は、幾度か塗布されるときに、又は、長い期間にわたって着用されるときに、皮膚に損傷を与えることがある。陰茎上の皮膚に対するストレスを減少させるために、接着剤をパターンの形で塗布することが有利。
【００５３】
本発明の第１の態様の１つの実施形態において、取付部材は、皮膚に取付部材を取り付けるための接着剤を具備し、その接着剤は、１つの区域を覆うパターンの形に付けられている。本発明の第１の態様の１つの実施形態において、この接着剤のパターンは、接着剤面積全体の１０−９０％を覆う。本発明の第１の態様の１つの実施形態において、この接着剤のパターンは、接着剤面積の２５−８０％を覆う。本発明の第１の態様の１つの実施形態において、この接着剤のパターンは、接着剤面積の４０−７０％を覆う。
【００５４】
ウリシースの取り付けを容易にするために、その取り付けの前に、ウリシースがあらかじめ丸められた形状にされ、その次に、そのシステムの取り付け時に巻き上げ解除される。更に、本発明によるウリシースの形状によって、陰茎に対するウリシースが巻き上げ解除される方向が、巻き上げ解除プロセスを容易化するために、ウリシースを巻き上げ解除する現在の方向に対して変化させられ得る。
【００５５】
本発明の第１の態様の１つの実施形態において、取付部材の略円筒形の部分が、陰茎上に配置される前に巻き上げられるように構成されている。この実施形態において、取付部材は、巻き上げ解除された形状で使用者に提供され、その次に、取り付けの前に巻き上げられる。別の実施形態において、取付部材は、すでに巻き上げられている形状で提供される。
【００５６】
本発明の第１の態様の１つの実施形態において、取付部材の略円筒形の部分は、陰茎上の内側位置に配置された後に巻き上げ解除されるように構成されている。本発明の第１の態様の１つの実施形態において、取付部材は、陰茎上に配置される前に巻き上げられるようになっており且つ陰茎上に内側位置に配置された後に巻き上げ解除されるように構成されている。
【００５７】
本発明の第１の態様の１つの実施形態において、取付部材の略円筒形の部分は、外側方向に、すなわち、使用者の体から遠ざかる方向に、陰茎上で巻き上げ解除されるようになっている。本発明の第１の態様の１つの実施形態において、取付部材は、陰茎亀頭を越えて延びる距離を巻き上げ解除されるようになっている。
【００５８】
本発明の第１の態様の１つの実施形態において、取付部材の略円筒形の部分は、その取付部材を巻き上げ解除する前に陰茎上の内側位置に配置されるようになっている。本発明の第１の態様の１つの実施形態において、取付部材の少なくとも一部分が、その取付部材が巻き上げ解除された後に内側位置に残る。
【００５９】
取付部材が陰茎に取り付けられる仕方に応じて、採尿するためのシステムの連結部が陰茎亀頭に比べて使用者の体から遠くに位置することを確実なものにするために、ウリシースの長さが陰茎の長さよりも長いことが重要。
【００６０】
本発明の第１の態様の１つの実施形態において、取付部材は連結要素を具備する。
【００６１】
本発明の文脈では、「連結要素」を、取付部材を採尿システムの連結部材に連結するために使用される取付部材の区域／部分／要素として理解されたい。それは、本目的に適したいかなる形式、材質又は形状であってもよい。
【００６２】
本発明の第１の態様の１つの実施形態において、取付部材は連結要素を備え、上記連結要素は、陰茎に取り付けられるときに、陰茎亀頭に比べて陰茎の基部からより遠く離れて配置されるようになっている。
【００６３】
本発明の第１の態様の１つの実施形態において、取付部材は１ｃｍから５０ｃｍの長さである。本発明の第１の態様の１つの実施形態において、取付部材は２ｃｍから４０ｃｍの長さである。本発明の第１の態様の１つの実施形態において、取付部材は４ｃｍから３０ｃｍの長さである。本発明の第１の態様の１つの実施形態において、取付部材は８ｃｍから２４ｃｍの長さである。本発明の第１の態様の１つの実施形態において、取付部材は１１ｃｍから１９ｃｍの長さである。
【００６４】
陰茎の性質のため及び伸縮性フィルムの材料特徴のため、陰茎上に取付部材を適正に取り付けることは困難となり得る。従って、取付部材を取り付けるためのアプリケーターを使用することが望ましい。
【００６５】
従って、取付部材は、上述の取付部材と、巻き上げ部分の内径がその非伸張の内径と比較して少なくとも１０％増大させられるように略円筒形の部分の巻き上げ部分を伸張するように構成されたアプリケーターとを具備する、部品キットの形で提供され得る。別の実施形態において、アプリケーターは、内径を少なくとも２０％、３０％、４０％、５０％、６０％、７０％、８０％、９０％、又は、１００％増大させるように構成されることも可能である。
【００６６】
本発明の文脈では、「アプリケーター」を、取付部材の少なくとも一部分を陰茎上の内側位置に配置することを補助するように構成された物理的な形状及び／又は形態及び／又は機構として理解されたい。このアプリケーターは別個の要素であってもよく、又は、取付部材に一体化されてもよい。
【００６７】
本発明の第１の態様の１つの実施形態において、取付部材は、陰茎の皮膚上の内側位置にその取付部材を配置するためのアプリケーターを具備する。本発明の第１の態様の１つの実施形態において、このアプリケーターは、陰茎の外径よりも大きいサイズに伸縮性フィルムの略円筒形の形状の径を拡大するようになっている。
【００６８】
本発明の第１の態様の１つの実施形態において、アプリケーターは、陰茎の外径よりも大きいサイズに伸縮性フィルムの略円筒形の形状の径を拡大するように構成されており、且つ、取付部材の少なくとも一部分を陰茎上の内側位置に配置することを補助するように構成されている。
【００６９】
本発明の第１の態様の１つの実施形態において、アプリケーターは、陰茎の外径よりも大きいサイズに伸縮性フィルムの略円筒形の形状の径を拡大するように構成されており、且つ、取付部材の少なくとも一部分を陰茎上の内側位置に配置することを補助するように構成されており、且つ、外側方向における取付部材の巻き上げ解除プロセスを補助するように構成されている。
【００７０】
本発明の第１の態様の１つの実施形態において、アプリケーターは、取付部材と共に一体状に形成されている。
【００７１】
本発明の第１の態様の１つの実施形態において、アプリケーターはエラストマー材料を含む。本発明の第１の態様の１つの実施形態において、このエラストマー材料は、熱可塑性材料とシリコーンとを含むグループから選択される。本発明の第１の態様の１つの実施形態において、このエラストマー材料は、２から８０の間のショアＤ硬度、又は、５から６０の間のショアＤ硬度を有する。本発明の第１の態様の１つの実施形態において、このエラストマー材料は、１０から３５の間のショアＤ硬度を有する。
【００７２】
本発明の第１の態様の１つの実施形態において、アプリケーターはポリマー材料で作られている。本発明の第１の態様の１つの実施形態において、このアプリケーターは熱可塑性材料を含む。本発明の第１の態様の１つの実施形態において、このアプリケーターは生物分解性ポリマー材料を含む。
【００７３】
本発明の第１の態様の１つの実施形態において、アプリケーターは、円形又は楕円形の形状を有するリングを具備する。本発明の第１の態様の１つの実施形態において、このリングは陰茎の外径よりも大きい内径を有する。
【００７４】
本発明の第１の態様の１つの実施形態において、アプリケーターは、陰茎に対する取付部材の取り付け中に、その取付部材から取り外される。
【００７５】
本発明の第１の態様の１つの実施形態において、アプリケーターは、取付部材が人間に取り付けられた後に、その取付部材から取り外されるように構成されている。
【００７６】
本発明の第１の態様の１つの実施形態において、取付部材は、略円筒形の部分の巻き上げ部分の内側にアプリケーターが配置されるように、そのアプリケーターの周囲に予め巻かれている。
【００７７】
巻き上げ解除プロセスを容易にするために、アプリケーターは、容易且つ均一に巻き上げ解除するプロセスを可能にするように設計されているべきである。
【００７８】
本発明の第１の態様の１つの実施形態において、アプリケーターは、巻き上げ解除プロセス中にその中心の周りに容易に巻き付けられる。
【００７９】
本発明の第１の態様の１つの実施形態において、伸縮性フィルム材料の少なくとも一部分が、その弛緩状態において、その伸縮性フィルム材料が取付けられるように設計されている陰茎の径に等しいか又はこの径よりも小さい径を有するが、アプリケーターの周りに巻かれるときには、伸縮性フィルムのその部分の径は陰茎の径よりも大きい径に伸張される。
【００８０】
本発明の第１の態様の１つの実施形態において、アプリケーターは、成形スティック（ｓｈａｐｅｄ  ｓｔｉｃｋ）から形成されている。
【００８１】
本発明の文脈では、「成形スティック」を、形態／形状／機構が長円形である、あらゆる物理的な形態及び／又は形状及び／又は機構として理解されたい。
【００８２】
本発明の第１の態様の１つの実施形態において、成形スティックは、円筒形の断面を有する形に作られている。本発明の第１の態様の１つの実施形態において、この成形スティックは、円形又は楕円形の形状を形成するように曲げられている。本発明の第１の態様の１つの実施形態において、この成形スティックは、円形を形成するように曲げられており、この場合に、この円形の内径が取付部材の第２開口部の径よりも大きい。本発明の第１の態様の１つの実施形態において、成形スティックは、円形を形成するように曲げられており、この場合に、この円形の内径が取付部材の第２開口部の径よりも少なくとも１ｍｍ大きい。
【００８３】
本発明の第１の態様の１つの実施形態において、成形スティックは、コネクトフォーム（ｃｏｎｎｅｃｔ  ｆｏｒｍ）とレセプタ（ｒｅｃｅｐｔｏｒ）とを有し、この場合に、このレセプタはコネクトフォームを受け入れるようになっている。
【００８４】
本発明の文脈では、「レセプタ」を、コネクトフォームを受け入れるようになっているアプリケーター上の物理的な形態及び／又は形状及び／又は機構として理解されたい。
【００８５】
本発明の文脈では、「コネクトフォーム」を、レセプタに係合するようになっているアプリケーター上の物理的な形態及び／又は形状及び／又は機構として理解されたい。
【００８６】
本発明の第１の態様の１つの実施形態において、成形スティックは、コネクトフォームとレセプタとを有し、このレセプタはコネクトフォームを受容するように構成されている。本発明の第１の態様の１つの実施形態において、レセプタは、コネクトフォームがそのレセプタに対して連結されている状態を維持することを可能にするように構成されている。本発明の第１の態様の１つの実施形態において、成形スティックは、レセプタとコネクトフォームとが連結されているときに円形の形状を形成する。
【００８７】
本発明の第１の態様の１つの実施形態において、レセプタとコネクトフォームは、成形スティックのそれぞれの端部に形成されている。
【００８８】
この成形スティックは、塊状又は中空のスティックである。本発明の第１の態様の１つの実施形態において、この成形スティックは中空である。本発明の第１の態様の１つの実施形態において、この成形スティックは塊状である。
【００８９】
本発明の第１の態様の１つの実施形態において、取付部材は、実質的にリング形であるアプリケーターを備え、このアプリケーターの内径は陰茎の径よりも大きい。
【００９０】
本発明の第１の態様の１つの実施形態において、アプリケーターは成形スティックを具備する。
【００９１】
本発明の第１の態様の１つの実施形態において、取付部材の少なくとも一部分は成形スティックの周りに予め巻かれており、且つ、陰茎上で外側方向に巻き上げ解除されるようになっている。
【００９２】
伸張された状態で貯蔵される場合に、柔軟な熱可塑性エラストマーは、より長い時間に亘りクリープを起こす傾向を有するため、取付部材が貯蔵期間中は比較的弛緩した状態で貯蔵され且つ陰茎上の取り付け直前に伸張させられることを可能にすることが望ましい。
【００９３】
本発明の第１の態様の１つの実施形態において、アプリケーターは、２つの形状構成、すなわち、アプリケーターが第１の径を有する第１の形状構成と、アプリケーターが第２の径を有する第２の形状構成を有し、上記第２の径は第１の径よりも少なくとも２０％大きい。他の実施形態において、第２の径は第１の径よりも少なくとも３０％、４０％、５０％、６０％、７０％、８０％、９０％、又は、１００％大きい。
【００９４】
本発明の第１の態様の１つの実施形態において、アプリケーターは、伸縮性フィルムの少なくとも一部分の径を少なくとも１ｍｍは伸張するように構成されており、アプリケーターが、伸縮性フィルムの少なくとも一部分の径を少なくとも２ｍｍは伸張するように構成されていることが好ましく、アプリケーターが、伸縮性フィルムの少なくとも一部分の径を２ｍｍから１０ｍｍは伸張するようになっていることが最も好適である。
【００９５】
本発明の第１の態様の１つの実施形態において、成形スティックはばねの形式である。
【００９６】
こうしたばねは使用上のいくつかの利点を有する。このばねは、円形の形状に曲げられた後に圧縮される。この圧縮されたばねは、円筒形の伸縮性フィルムの巻き上げ部分を具備し、圧縮された形態で包装容器内に貯蔵される。その後で、ばねと取付部材をその容器から取り出したとき、ばねは自動的に伸張して、取付部材の巻き上げ部分の径を伸張する。
【００９７】
本発明の第１の態様の１つの実施形態において、このばねは圧縮可能である。本発明の第１の態様の１つの実施形態において、ばねは、その弛緩した長さの２０％から８０％に圧縮可能である。本発明の第１の態様の１つの実施形態において、ばねはその弛緩した長さの３０％から７０％に圧縮可能である。
【００９８】
このばねの材料と厚さは、伸縮性フィルムに対してそのばねが及ぼす応力を指示する。
【００９９】
本発明の第１の態様の１つの実施形態において、このばねは金属で作られている。本発明の第１の態様の１つの実施形態において、このばねはプラスチック材料で作られている。
【０１００】
本発明の第１の態様の１つの実施形態において、このばねは、０．１ｍｍから１．０ｍｍの間のワイヤ厚さから螺旋状の形状に作られている。本発明の第１の態様の１つの実施形態において、このばねは０．２ｍｍから０．５ｍｍの間のワイヤ厚さで作られている。
【０１０１】
本発明の第１の態様の１つの実施形態において、アプリケーターは少なくとも２つの成形スティックを具備する。上記成形スティックは、互いに係合するようになっており、及び、アプリケーターの径を伸張するように構成されている。
【０１０２】
本発明の第１の態様の１つの実施形態において、略円筒形の形状の伸縮性フィルムは、陰茎と外側容器との間の流体連通を可能にするように構成された第１開口部を有する。
【０１０３】
本発明の第１の態様の１つの実施形態において、略円筒形の形状の伸縮性フィルムは第１開口部を有し、上記第１開口部は、陰茎の径よりも大きな径に伸張されることが可能である。本発明の第１の態様の１つの実施形態において、略円筒形の形状の伸縮性フィルムの第１開口部は、陰茎の径よりも大きな径を有する。このことが、着用時間中に陰茎から取付部材を引き離そうとする力を減少させる。
【０１０４】
本発明の第１の態様の１つの実施形態において、略円筒形の形状の伸縮性フィルムは、陰茎と外側容器との間の流体連通を可能にするように構成された第１開口部を有しており、上記第１開口部は、陰茎の径よりも大きな径に伸張されることが可能である。
【０１０５】
本発明の第１の態様の１つの実施形態において、取付部材全体が、陰茎上の内側位置に配置されるように構成されると共に外向きに巻き上げ解除されるように構成されており、この巻き上げ解除が、第２開口部が内側位置に留まることを可能にし、且つ、上記第１開口部が新たな位置を得ることを可能にし、この新たな位置は、陰茎亀頭に比べて陰茎基部からより遠く離れている。
【０１０６】
伸縮性フィルムの厚さが、そのフィルムの偶発的な亀裂及び／又は穴を回避するという点に関してだけでなく、着用時間中の使用者の快適性に関しても重要である。
【０１０７】
本発明の第１の態様の１つの実施形態において、略円筒形の形状の伸縮性フィルムは、０．０１ｍｍから２ｍｍの間の厚さを有する。本発明の第１の態様の１つの実施形態において、略円筒形の形状の伸縮性フィルムの厚さは、０．０４ｍｍから０．８ｍｍの間である。本発明の第１の態様の１つの実施形態において、円筒形の形状の伸縮性フィルムは、０．０８ｍｍから０．４ｍｍの間である。本発明の第１の態様の１つの実施形態において、円筒形の形状の伸縮性フィルムの厚さは、０．１ｍｍから０．３ｍｍの間である。本発明の第１の態様の１つの実施形態において、円筒形の形状の伸縮性フィルムの厚さは、０．１５ｍｍから０．２５ｍｍの間である。
【０１０８】
巻き上げ解除プロセスを容易化するために、巻き上げ解除補助要素（ｕｎｒｏｌｌｉｎ  ｓｕｐｐｏｒｔｉｖｅ  ｅｌｅｍｅｎｔ）によって巻き上げ解除プロセスを補助することが重要。こうした１つ又は複数の巻き上げ解除補助要素は、取付部材の取り付け中に陰茎に接触する必要を少なくすることもできる。取付部材を着用することが意図されている人間以外の別の人間によってその取付部材が取り付けられる場合に、このことは特に望ましい。
【０１０９】
本発明の文脈では、「巻き上げ解除補助要素」を、陰茎上での外側方向における取付部材の巻き上げ解除プロセスを補助するようになっている物理的な形状及び／又は形態及び／又は機構として理解されたい。
【０１１０】
本発明の第１の態様の１つの実施形態において、取付部材は巻き上げ解除補助要素を具備する。本発明の第１の態様の１つの実施形態において、巻き上げ解除補助要素は少なくとも１つのストリップを具備する。１つの実施形態において、巻き上げ解除補助要素は少なくとも２つのストリップを具備する。
【０１１１】
巻き上げ解除プロセスを容易化するために、伸縮性フィルム材料がその材料自体に粘着する作用を低減させることが有利となり得る。これは、非粘着性の層（伸縮性／伸張可能でなければならない）を導入することによって、又は、伸縮性フィルム材料の表面特性を変更することによって実現され得る。
【０１１２】
本発明の第１の態様の１つの実施形態において、伸縮性フィルム材料は、それ自体に対して非粘着性である。本発明の第１の態様の１つの実施形態において、伸縮性フィルム材料はタルクで被覆されている。
【０１１３】
これに加えて、巻き上げ解除プロセス中に取付部材に陰毛が絡まる場合には、痛みがあるか、不快であるか、又は、刺激がある。従って、「遮蔽要素」によって陰毛を取付部材から遮蔽することが好都合。
【０１１４】
本発明の文脈では、「遮蔽要素」を、巻き上げ解除プロセス中に使用者の陰毛の少なくとも一部分を遮蔽するようになっている物理的な形状及び／又は形態及び／又は機構として理解されたい。こうした遮蔽要素は別個の要素の形態であってもよく、又は、取付部材及び／又はアプリケーターと共に一体的に形成されてもよい。
【０１１５】
本発明の第１の態様の１つの実施形態において、取付部材は遮蔽要素を具備する。本発明の第１の態様の１つの実施形態において、アプリケーターは遮蔽要素を具備する。更に、１つの実施形態において、上述した取付部材を具備する部品キットが提供されることが可能であり、又は、そのキットが更に取付部材の略円筒形の部分の第２開口部に配置されている遮蔽要素を具備することが可能である。１つの実施形態において、その遮蔽要素は、巻き上げ部分が巻き上げられておらず且つ伸張させられていないときに、略円筒形の部分の巻き上げ部分の内径よりも少なくとも２ｃｍ大きな外径を有するフランジを具備することも可能である。
【０１１６】
本発明の第１の態様の１つの実施形態において、遮蔽要素はフランジ部分を具備する。このフランジ部分は陰毛を遮蔽するために使用されてもよいが、更に、取付部材を取り付ける人間が巻き上げ解除プロセス中にそのフランジをグリップとして使用することがあるので巻き上げ解除補助要素としても使用されてもよく、これによって、陰茎上の内側位置に取付部材の一部分が留まることを確実なものにする。
【０１１７】
本発明の第１の態様の１つの実施形態において、このフランジ部分は取付部材と共に一体状に形成される。
【０１１８】
本発明の第１の態様の１つの実施形態において、このフランジ部分の外径は５．０ｃｍから２５．０ｃｍの間である。本発明の第１の態様の１つの実施形態において、このフランジ部分の径は６．０ｃｍから２０ｃｍの間である。本発明の第１の      態様の１つの実施形態において、このフランジ部分の径は７．０ｃｍから１８．０ｃｍの間である。本発明の第１の態様の１つの実施形態において、このフランジ部分の径は８．０ｃｍから１６．０ｃｍの間である。本発明の第１の態様の１つの実施形態において、このフランジ部分の径は６．５ｃｍから１２．５ｃｍの間である。本発明の第１の態様の１つの実施形態において、このフランジ部分の径は５．９ｃｍから１０．５ｃｍの間である。
【０１１９】
本発明の第１の態様の１つの実施形態において、遮蔽要素は切頭円錐形部分を具備する。
【０１２０】
本発明の第１の態様の１つの実施形態において、取付部材は、その取付部材の少なくとも一部分を巻き上げ解除する前に陰茎上の内側位置にその取付部材を取り付けるためのアプリケーターと、取付部材をシステムに連結するための連結要素とを具備する。
【０１２１】
本発明の第１の態様の１つの実施形態において、取付部材は、略円筒形に形成されている部品を有する少なくとも１つの伸縮性フィルム材料であって、陰茎を受け入れて陰茎をシールするようになっている区域を有し、且つ、この区域は陰茎の径よりも小さい径を有する伸縮性フィルム材料と、陰茎の外側表面の径よりも大きい径に伸張され得る少なくとも２つの開口部と、実質的にリング形に形成されているアプリケーターであって、このアプリケーターの内径は陰茎の径よりも大きいアプリケーターとを具備する。
【０１２２】
本発明の第１の態様の１つの実施形態において、略円筒形に形成されている伸縮性フィルムは、陰茎を受け入れて陰茎をシールするように構成された区域を有し、及び、この区域は陰茎の径よりも小さい径を有する。
【０１２３】
本発明の第１の態様の１つの実施形態において、取付部材は、陰茎の径よりも大きい径に伸張されるようになっている。
【０１２４】
本発明の第１の態様の１つの実施形態において、円筒形に形成されている部品を有する伸縮性フィルム材料は、その形状の径が略円筒形の形状の長さに沿って変化することを特徴とする。本発明の第２の態様の１つの実施形態において、この径が陰茎の変化量に従って変化する。本発明の第２の態様の１つの実施形態において、変化する円筒形形状は、陰茎の内側位置に適合するように構成されたより小さい径と、陰茎亀頭に適合するように構成されたより大きい径とを有する。本発明の第１の態様の１つの実施形態において、変化する円筒形形状は、陰茎の形状に類似した形状を具備する。本発明の第１の態様の１つの実施形態において、変化する円筒形形状は波形の形状をとり、周期的に増減する径を有する。
【０１２５】
長期間にわたってウリシースを着用している人間の皮膚はストレスを受ける。こうしたストレスは皮膚の炎症を生じさせ、最終的には外傷を生じさせる。従って、陰茎上の皮膚を保護する成分を伸縮性フィルム材料に加えることが望ましい。こうした皮膚保護成分は、抗菌剤、抗真菌剤、及び、アロエベラのような天然成分であってもよい。
【０１２６】
本発明の第１の態様の１つの実施形態において、伸縮性フィルム材料は皮膚保護成分を含む。本発明の第１の態様の１つの実施形態において、伸縮性フィルム材料は抗菌性材料を含む。本発明の第１の態様の１つの実施形態において、伸縮性フィルム材料は、抗菌性成分として銀含有化合物を含む。本発明の第１の態様の１つの実施形態において、伸縮性フィルム材料は、抗菌性成分として銀リン酸ジルコニウム化合物を含む。
【０１２７】
本発明の第１の態様の１つの実施形態において、伸縮性フィルム材料は、タルクと皮膚保護成分とのブレンドで被覆されている。本発明の第１の態様の１つの実施形態において、伸縮性フィルム材料は、タルクと銀リン酸ジルコニウム化合物とのブレンドで被覆されている。本発明の第１の態様の１つの実施形態において、伸縮性フィルム材料は、タルクとＭｉｌｌｉｋｅｎ  Ｃｈｅｍｉｃａｌ社製のＡｌｐｈａｓａｎ  ２０００とのブレンドで被覆されている。
【０１２８】
本発明の第２の態様は、男性の人間から採尿するためのシステムに関しており、このシステムは、着用時間中に尿を収集及び／又は貯蔵するための尿容器と、このシステムを陰茎に取り付けるための取付部材とを備え、この取付部材は、略円筒形の部分を有する少なくとも１つの伸縮性フィルム材料と、少なくとも２つの開口部とを備え、この２つの開口部は、陰茎の外側表面の径よりも大きい径に伸張されることが可能である。
【０１２９】
本発明の文脈では、「尿容器」という用語を、例えば袋又は剛体の容器のような、あらゆるタイプのカプセル化体積（ｅｎｃａｐｓｕｌａｔｅｄ  ｖｏｌｕｍｅ）として理解されたい。
【０１３０】
本発明の第２の態様の１つの実施形態は、採尿するためのシステムに関しており、このシステムは、そのシステムに取付部材を連結するように構成された連結部材を具備する。
【０１３１】
本発明の文脈では、「連結部材」という用語を、取付部材の内部を尿容器の内部と流体連通させるように構成された部材として理解されたい。
【０１３２】
本発明の第２の態様の１つの実施形態において、連結部材と取付部材の連結要素は互いに係合するように構成されている。本発明の第２の態様の１つの実施形態において、連結部材と取付部材の連結要素は互いに係合して液密シールを形成するように構成されている。
【０１３３】
本発明の第２の態様の１つの実施形態において、連結要素は、採尿システムに対して可逆的に連結及び連結解除されるように構成されている。本発明の第２の態様の１つの実施形態において、連結部材は、採尿システムに対して可逆的に連結及び連結解除されるように構成されている。
【０１３４】
本発明の第２の態様の１つの実施形態において、連結要素及び／又は連結部材は、収集部材及び／又は採尿システムに対して連結要素の位置を固定するための固定機構を具備する。
【０１３５】
本発明の文脈では、「固定機構」を、連結部材及び／又は採尿システムに対する連結要素の係合を補助するようになっている物理的な形状及び／又は形態及び／又は機構として理解されたい。
【０１３６】
本発明の第２の態様の１つの実施形態において、採尿システムは固定機構を具備する。本発明の第２の態様の１つの実施形態において、この固定機構は、そのシステムの少なくとも一部分を交換するために固定及び固定解除するようになっている。
【０１３７】
本発明の第２の態様の１つの実施形態は、採尿するシステムに関しており、このシステムは接着剤を備え、上記接着剤は連結要素と連結部材との間の連結とシールを補助する。この接着剤の位置及び／又は区域は、連結要素の設計及び／又は連結部材の設計に応じて変化する。
【０１３８】
本発明の第２の態様の１つの実施形態において、この接着剤は、連結部材の外側表面の少なくとも一区域を覆う。本発明の第２の態様の１つの実施形態において、この接着剤は、連結部材の内側表面の少なくとも一区域を覆う。本発明の第２の態様の１つの実施形態において、この接着剤は、非接触フィルム（ｎｏｎ  ｔｏｕｃｈ  ｆｉｌｍ）によって覆われている。
【０１３９】
本発明の第２の態様の１つの実施形態は、採尿システムに関しており、このシステムは連結部材を備え、上記連結部材はその取付部材の連結要素の内径を伸張するように構成されている。
【０１４０】
本発明の第２の態様の１つの実施形態において、尿容器は尿収集袋である。本発明の第２の態様の１つの実施形態において、この袋は液体を汲み出される。本発明の第２の態様の１つの実施形態において、この袋は、この袋を人間及び／又はベッドに取り付けるための取り付け要素を具備する。
【０１４１】
人間の中には、小さい尿収集容積しか必要としない者がいる。こうした場合には、尿容器が非常に小さく且つ個別的であるように設計される。
【０１４２】
本発明の第２の態様の１つの実施形態において、取付部材と尿容器は一体的に形成されている。
【０１４３】
本発明の第２の態様の１つの実施形態において、連結部材と尿容器は一体的に形成されている。
【０１４４】
本発明の第２の態様の１つの実施形態において、尿容器は取付部材の内部にカプセル封入されるように構成されている。
【０１４５】
本発明の第２の態様の１つの実施形態において、尿容器はその尿容器に液体が入ることを可能にするがその尿容器から出て行くことは不可能にする一方向弁を具備する。
【０１４６】
本発明の第２の態様の１つの実施形態において、尿容器はタンクを具備する。
【０１４７】
本発明の第２の態様の１つの実施形態において、タンクは吸収性繊維状材料を具備する。本発明の第２の態様の１つの実施形態において、タンクは液体吸い上げ繊維状材料を具備する。本発明の第２の態様の１つの実施形態において、タンクは、液体吸い上げ特性と液体吸収特性の両方を有する繊維ブレンドを具備する。
【０１４８】
本発明の第２の態様の１つの実施形態において、タンクは、あらゆる形状の吸収剤材料を具備する。本発明の第２の態様の１つの実施形態において、タンクは吸収剤粒子を具備する。
【０１４９】
本発明の第２の態様の１つの実施形態において、採尿システムは、内側位置において陰茎の皮膚上に取付部材を取り付けるためのアプリケーターを具備する。本発明の第２の態様の１つの実施形態において、このアプリケーターは、陰茎の外径よりも大きいサイズに伸縮性フィルムの略円筒形である形状の径を伸張するように構成されている。
【０１５０】
本発明の第２の態様の１つの実施形態において、アプリケーターは、陰茎の外径よりも大きいサイズに伸縮性フィルムの略円筒形である形状の径を伸張するように、及び、内側位置において陰茎の皮膚上に取付部材の少なくとも一部分を配置することを補助するように構成されている。
【０１５１】
本発明の第２の態様の１つの実施形態において、アプリケーターは、陰茎の外径よりも大きいサイズに伸縮性フィルムの略円筒形である形状の径を伸張するように、及び、内側位置において陰茎の皮膚上に取付部材の少なくとも一部分を配置することを補助するように、及び、外側方向における取付部材の巻き上げ解除プロセスを補助するように構成されている。
【０１５２】
本発明の第２の態様の１つの実施形態において、採尿するためのシステムは遮蔽要素を具備する。
【０１５３】
本発明の第２の態様の１つの実施形態において、アプリケーターは遮蔽要素を具備する。
【０１５４】
本発明の第２の態様の１つの実施形態において、遮蔽要素はフランジ部分を具備する。
【０１５５】
本発明の第２の態様の１つの実施形態において、男性の人間から採尿するためのシステムは、尿容器に取付部材を連結するための汎用コネクタを具備する。本発明の第２の態様の１つの実施形態において、この汎用コネクタは、採尿システムに対して可逆的に連結及び連結解除するように構成されている。
【０１５６】
本発明の第２の態様の１つの実施形態において、汎用コネクタは別個の要素の形式である。
【０１５７】
本発明の文脈では、「汎用コネクタ」を、任意の標準的な採尿システムに取付部材をフィットさせるように構成された、取付部材の一体化された要素又は独立した要素として理解されたい。これは任意の形式、材料又は形状であってもよい。
【０１５８】
本発明の第３の態様は、採尿システムを陰茎に連結するための取付部材を取り付ける方法に関しており、この方法は、伸縮性フィルム材料を具備する取付部材を提供する工程であって、その伸縮性フィルムが略円筒形に形成されている部分を有する工程と、内側位置に陰茎の表面上に取付部材の少なくとも一部分を配置する工程と、陰茎の基部から遠ざかるように陰茎の外側方向に取付部材の少なくとも一部分を巻き上げ解除する工程とを含む。
【０１５９】
本発明の第３の態様の１つの実施形態において、この方法は、取付部材を尿容器に連結して、陰茎が尿容器の内部と流体連通していることを可能にする工程を含む。この方法が、取付部材と尿容器との間の連結部を固定する工程を含むことが好ましい。
【０１６０】
本発明の第３の態様の１つの実施形態において、この方法は、陰茎の皮膚に取付部材を接着させる工程を含む。
【０１６１】
本発明の第３の態様の１つの実施形態において、この方法は、取付部材と陰茎表面との間に液密な連結部を生じさせる工程を含む。
【０１６２】
本発明の第３の態様の１つの実施形態において、陰茎上の内側位置に取付部材の少なくとも一部分を配置する工程は、アプリケーターの使用によって実現される。
【０１６３】
本発明の第３の態様の１つの実施形態において、陰茎上の内側位置に取付部材の少なくとも一部分を配置する工程、及び／又は、陰茎の外側方向に取付部材の少なくとも一部分を巻き上げ解除する工程は、アプリケーターの使用によって実現される。
【０１６４】
本発明の第３の態様の１つの実施形態において、取付部材を取り付けるための方法は、陰茎上への取り付けの前に取付部材を巻き上げる工程を具備する。
【０１６５】
本発明の第３の態様の１つの実施形態において、取付部材を取り付けるための方法は、取付部材を陰茎上に取り付ける前にアプリケーターの周りに取付部材を巻き付ける工程を具備する。
【０１６６】
本発明の第３の態様の１つの実施形態において、取付部材を取り付けるための方法は、取付部材の少なくとも一部分を巻き上げ解除する工程の後に、取付部材からアプリケーターを取り外す工程を具備する。
【０１６７】
本発明の第３の態様の１つの実施形態において、陰茎の外側方向に取付部材の少なくとも一部分を巻き上げ解除する工程は、巻き上げ解除補助要素によって補助される。
【０１６８】
本発明の第３の態様の１つの実施形態において、適正なサイズの取付部材を選択するために、陰茎のおおよその外径が陰茎径測定器具によって測定される。
【０１６９】
本発明の第３の態様の１つの実施形態において、この方法は、取付部材の第１開口部を閉じる工程を具備する。
【０１７０】
本発明の第３の態様の好ましい実施形態において、取付部材を取り付けるための方法は、円筒形に形成されている伸縮性フィルムを備え且つその工程を含む２つの開口部を有する取付部材を提供する工程と、アプリケーターを提供する工程と、このアプリケーターの周りに取付部材の少なくとも一部分を予め巻き上げる工程と、内側位置に陰茎の外側表面上に取付部材を配置する工程と、陰茎の外側方向に取付部材の少なくとも一部分を巻き上げ解除する工程とを含む。
【０１７１】
上述した第１の側面と第２の側面と第３の側面の実施形態の特徴と要素のあらゆる組み合わせが、任意の適切な形で組み合わされるということが理解される。
【図面の簡単な説明】
【０１７２】
【図１ａ】本発明による陰茎にシステムを取り付けるための取付部材の概略的な断面図を示す。異なる形状構成の形で取付部材を示す。
【図１ｂ】本発明による陰茎にシステムを取り付けるための取付部材の概略的な断面図を示す。異なる形状構成の形で取付部材を示す。
【図１ｃ】本発明による陰茎にシステムを取り付けるための取付部材の概略的な断面図を示す。異なる形状構成の形で取付部材を示す。
【図１ｄ】本発明による陰茎にシステムを取り付けるための取付部材の概略的な断面図を示す。異なる形状構成の形で取付部材を示す。
【図２】本発明による取付部材の、図３とは異なる実施形態の略図を示す。
【図３】本発明による取付部材の、図２とは異なる実施形態の略図を示す。
【図４ａ】本発明の一例による、どのように取付部材が陰茎上に取り付けられるかの略断面図を示す。
【図４ｂ】本発明の一例による、どのように取付部材が陰茎上に取り付けられるかの略断面図を示す。
【図４ｃ】本発明の一例による、どのように取付部材が陰茎上に取り付けられるかの略断面図を示す。
【図４ｄ】本発明の一例による、どのように取付部材が陰茎上に取り付けられるかの略断面図を示す。
【図５ａ】本発明による陰茎にシステムを取り付けるための巻き上げ解除された取付部材の略断面図を示す。
【図５ｂ】取付部材が陰茎上に取り付けられている、本発明による、陰茎にシステムを取り付けるための巻き上げ解除された取付部材の略断面図を示す。
【図６ａ】本発明による、アプリケーターを具備する取付部材の略断面図を示す。
【図６ｂ】本発明による、アプリケーターを具備する取付部材の略断面図を示す。
【図６ｃ】本発明による、アプリケーターを具備する取付部材の略断面図を示す。
【図７】本発明による採尿システムの略断面図を示す。
【図８】本発明による採尿システムの略断面図を示す。
【図９ａ】成形スティックの形態であるアプリケーターの略図を示す。
【図９ｂ】成形スティックの形態であるアプリケーターの略図を示す。
【図９ｃ】成形スティックの形態であるアプリケーターの略図を示す。
【図１０ａ】互いにフィットしており且つ１つの概ね円形の湾曲したスティックアプリケーターを形成する２つのＵ字形の成形スティックの形態である、アプリケーターの略図を示す。
【図１０ｂ】互いにフィットしており且つ１つの概ね円形の湾曲したスティックアプリケーターを形成する２つのＵ字形の成形スティックの形態である、アプリケーターの略図を示す。
【図１０ｃ】互いにフィットしており且つ１つの概ね円形の湾曲したスティックアプリケーターを形成する２つのＵ字形の成形スティックの形態である、アプリケーターの略図を示す。
【図１０ｄ】互いにフィットしており且つ１つの概ね円形の湾曲したスティックアプリケーターを形成する２つのＵ字形の成形スティックの形態である、アプリケーターの略図を示す。
【図１０ｅ】互いにフィットしており且つ１つの概ね円形の湾曲したスティックアプリケーターを形成する２つのＵ字形の成形スティックの形態である、アプリケーターの略図を示す。
【図１０ｆ】互いにフィットしており且つ１つの概ね円形の湾曲したスティックアプリケーターを形成する２つのＵ字形の成形スティックの形態である、アプリケーターの略図を示す。
【図１１ａ】遮蔽要素の異なる図を示す。
【図１１ｂ】遮蔽要素の異なる図を示す。
【図１２ａ】別個の要素の形である「外部」アプリケーターの図を示す。
【図１２ｂ】別個の要素の形である「外部」アプリケーターの図を示す。
【図１２ｃ】別個の要素の形である「外部」アプリケーターの図を示す。
【図１２ｄ】別個の要素の形である「外部」アプリケーターの図を示す。
【図１２ｅ】別個の要素の形である「外部」アプリケーターの図を示す。
【図１３】別個の要素の形態であるアプリケーターの断面図を示し、このアプリケーターは遮蔽要素を具備する。
【図１４ａ】遮蔽要素を備える取付部材の断面図を示す。
【図１４ｂ】遮蔽要素を備える取付部材の断面図を示す。
【図１５】遮蔽要素と巻き上げ解除補助要素とを備える取付部材の断面図を示す。
【図１６】略円筒形である伸縮性フィルムが変化する内径を有する取付部材の断面図を示す。
【図１７ａ】取付部材と図１８とは異なる連結部材の実施形態との断面図を示す。
【図１７ｂ】取付部材と図１８とは異なる連結部材の実施形態との断面図を示す。
【図１７ｃ】取付部材と図１８とは異なる連結部材の実施形態との断面図を示す。
【図１８ａ】取付部材と図１７とは異なる連結部材の実施形態との断面図を示す。
【図１８ｂ】取付部材と図１７とは異なる連結部材の実施形態との断面図を示す。
【図１８ｃ】取付部材と図１７とは異なる連結部材の実施形態との断面図を示す。
【発明を実施するための形態】
【０１７３】
図１ａは、伸縮性フィルム材料２０１から形成されている略円筒形である取付部材２００の側面図を示す。図１ｂは、図１ａの線Ｉｂ−Ｉｂによって画定されている取付部材２００の断面図を示す。一般的に、この実施形態の取付部材は、径Ｄと壁厚さＴとを伴う一定不変の円形の断面を有する。この明細書に関しては、取付部材２００は、その取付部材の一方の端部に第１開口部２０３を有し、且つ、その取付部材の他方の端部に第２開口部２０２を有するものとして定義されている。この実施形態において、第１開口部の内径Ｄ１と第２開口部の内径Ｄ２は互いに等しい。
【０１７４】
取付部材は、陰茎を受け入れるように構成されており、及び、伸縮フィルムが陰茎の表面に対するシールを形成することを可能にする。第１及び第２開口部２０３、２０２は、取付部材２００が陰茎上に貼り付けられるときに（例えば、図４ａを参照されたい）第１開口部２０３が第２開口部２０２に比べて陰茎の基部から遠くに配置されるように、配置されている。このようにして、第２開口部は、陰茎に取付けられるときに、陰茎の基部の近くに配置される。第１開口部２０３の付近の取付部材の区域が、連結部材を受け入れるために且つ連結部材に締め付け固定されるために適している連結要素として構成されている（図４Ｃを参照されたい）。
【０１７５】
ほとんどの場合には、典型的な連結要素の性質のために、取付部材は陰茎の長さよりも長いということに留意されたい（例えば、図４を参照されたい）。しかし、陰茎よりも径が大きい連結部材が提供される場合には、取付部材は陰茎の長さよりも長さが短いことが可能であるということが、当業者には明らかなはずである。
【０１７６】
図１ｃは、取付部材がコンドームに類似した形で巻き上げられ且つ引き延ばされていないときの図１ａ及び図１ｂの取付部材を示す。しかし、コンドームとは対照的に、図１ｃに示されている巻き上げられた取付部材は両方の端部において開いている。図２から理解できるように、第２開口部Ｄ２の径は伸張されていないので以前と同一のままであるが、しかし、取付部材の巻き上げられた部分２０５の内径Ｄ３はＤ１及びＤ２の径よりも小さい。
【０１７７】
図１ｄは、伸張されたときの取付部材を示す。この図から見てとれるように、巻き上げ部分２０５の内径Ｄ３と第２開口部２０２の径Ｄ２の両方がその当初の未伸張の径よりも伸張されている。
【０１７８】
図２は、図１ｃに類似した取付部材２００の別の例の概略的な断面図を示すが、図２では、取付部材は、陰茎の表面に取付部材を接着によって取り付けるために、第２開口部２０２における略円筒形の部分の内側表面上の接着剤２１１を有する。更に、取付部材２００は、２つのストリップの形の巻き上げ解除補助要素２９８を備え、この巻き上げ解除補助要素は、引っ張られたときに、予め巻き上げられた取付部材を巻き上げ解除する。
【０１７９】
図３は、陰茎の表面に取付部材を接着によって取り付けるための接着剤２１１を伴う取付部材２００の別の例の断面図を示す。更に、この取付部材は、陰茎の表面に取付部材を取り付ける前に接着剤２１１を保護するための保護フィルム２２１を具備する。
【０１８０】
図４ａは、陰茎５００上に取り付けられた取付部材２００の例の断面図を示す。取付部材が陰茎上の内側位置５０２に配置されており且つ陰茎亀頭５０１上には配置されていないということに留意されたい。この取付部材は、取付部材の内径が陰茎の外径よりも大きくなるように、巻き上げられた取付部材を伸張させることによって、陰茎に取り付けられている。その次に、この取付部材は、陰茎上の内側位置に位置決めされるまで、陰茎上に配置される。取付部材が陰茎の径よりも大きな径に伸張させられているので、取付部材を取り付ける作業が非常に容易であり、且つ、陰茎自体に全く力が加えられないということに留意されたい。
【０１８１】
取付部材が陰茎上の内側位置において所定の位置に位置決めされると、その取付部材は解除されて収縮し、陰茎上の内側位置において堅固な連結を生じさせる。そうして取付部材は外側方向すなわち陰茎基部から遠ざかる方向に巻き上げ解除できる状態となる。更に、取付部材２０２の第２開口部が陰茎上の内側位置を受け入れているということに留意されたい。更に、第１開口部が取付部材の巻き上げ部分の中央において巻き上げられているということに留意されたい。
【０１８２】
図４ｂは、図４ａの場合と同じ陰茎５００上の取付部材２００の具体例の略断面図を示す。図４ｂでは、取付部材は、第１開口部２０３を陰茎亀頭（５０１）より外側に位置させ巻き上げ解除される。
【０１８３】
図４ｃは、図４ａ及び図４ｂの場合と同じ陰茎５００上の取付部材２００の具体例の略断面図を示す。図４ｃでは、この明細書では連結要素と呼ばれている取付部材の最も外側の部分が、連結部材２３１に連結されている。取付部材２００の連結要素２４１と連結部材は、取り付けられているときに、流体密シールを形成する。更に、この例では、連結部材は、連結要素と連結部材との間の係合を補助するための接着剤２５１を具備するということに留意されたい。
【０１８４】
図５ａは、本発明による巻き上げ解除された取付部材２００の例の断面図を示す。この巻き上げ解除された取付部材は、伸縮性フィルム材料２０１と、２つの開口部、すなわち、陰茎を受け入れるための第２開口部２０２と、尿容器からの連結部材を受け入れるための第１開口部２０３とを有する。この取付部材は、取付部材と陰茎との間の連結を補助するための第１の接着剤２１１を有する。この取付部材は、更に、取付部材と尿容器との間の係合を補助するための連結要素２４１上の第２の接着剤２５１も具備する。
【０１８５】
図５ｂは、図５ａの場合と同じ取付部材２００の例の断面図を示すが、この場合には、取付部材は陰茎５００に取り付けられており且つ連結部材２３１に連結されている。伸縮性フィルム材料の伸縮性が、その伸縮性フィルム材料が陰茎亀頭５０１の周りに形状的に適合することを可能にし、及び、陰茎上の取付部材の締め付け固定を補助するということに留意されたい。
【０１８６】
図６ａは、本発明による巻き上げられた取付部材２００の例の略断面図を示す。この巻き上げられた取付部材は、伸縮性フィルム材料２０１と、２つの開口部、すなわち、陰茎を受け入れるための第２開口部２０２と、尿容器を受け入れるための第１開口部２０３とを有する。
【０１８７】
この取付部材は、陰茎上において内側位置に取付部材を配置する位置決めプロセスと、外側方向の巻き上げ解除プロセスと、取付部材と尿容器との間の係合とを補助するためのリング形のアプリケーター２７１を具備する。伸縮性フィルムは、リング形貼付部材の周りに予め巻かれている。リング形取り付け部材は、略円筒形である伸縮性フィルムの径よりも大きく且つ陰茎の外径よりも大きい内径を有する。巻き付けプロセスでは、伸縮性フィルムの円筒径は、その当初の径から、リング形取り付け部材の径にほぼ等しい径に伸張されている。
【０１８８】
図６ｂは、この場合には（図解のために）巻き上げ解除された状態の形で、図６ａの場合と同じ取付部材２００の例の断面図を示す。伸縮性フィルム材料２０１が、変化する円筒形径を伴って陰茎の形状に似た形状にされているということに留意されたい。更に、この伸縮性フィルムは、取り付け部材から巻き上げ解除されるときに、実質的にその当初のサイズに収縮するということに留意されたい。更に、取付部材は、採尿システムと係合するための連結要素２４１を有する。
【０１８９】
図６ｃは、この場合には陰茎５００上で巻き上げ解除状態にあり且つ連結部材２３１に連結された、図６ａと図６ｂの場合と同じ取付部材２００の例の断面図を示す。リング形取り付け部材２７１が、取付部材が完全に巻き上げ解除されたときに、取付部材から分離して、取り外されることが可能であるということに留意されたい。
【０１９０】
図７は、本発明による採尿システム１００の例の断面図を示し、このシステムは陰茎５００に取付けられている。このシステムは、取付部材２００と、連結部材２３１と、尿収集器１５１とを具備する。取付部材２００の内部が、連結部材２３１を介して尿収集器１５１の内部と流体連通している。
【０１９１】
図８は、本発明による採尿システムの例の断面図を示し、このシステムは陰茎５００に取付けられている。このシステムは取付部材２００を具備する。連結部材２３１が尿容器１５１と一体に形成されているということに留意されたい。更に、連結部材は取付部材における連結部材２３１と連結要素２４１との係合を補助するための接着剤２５１を具備するということに留意されたい。尿容器は、その容器内の尿を吸収するための吸収剤繊維を具備することもできる。
【０１９２】
図９ａは、成形スティックの形状であるアプリケーター２７１の例の断面図を示す。この成形スティックは、レセプタ２７３とコネクトフォーム（ｃｏｎｎｅｃｔ  ｆｏｒｍ）２７４とを有する。
【０１９３】
図９ｂは、成形スティックの形状であるアプリケーター２７１の例の平面図を示す。この成形スティックは、レセプタ２７３とコネクトフォーム２７４とを有し、レセプタ２７３はコネクトフォーム２７４を受け入れており、円形に形成されている。
【０１９４】
図９ｃは、成形スティックの形状のアプリケーター２７１を具備する取付部材２００の例の平面図を示す。この成形スティックは、レセプタ２７３とコネクトフォーム２７４とを有し、レセプタ２７３はコネクトフォーム２７４を受け入れており、円形に形成されている。取付部材の伸縮性フィルム材料２０１がアプリケーター２７１の周りに予め巻かれている。図９ａ−９ｃにおいて説明されているように、成形スティックの内側及び外側の長さが同一なので、このアプリケーター２７１は、伸縮性フィルムの巻き上げ解除中にその中心の周りに単純で均一なコイルを有する。これは、例えば外側長さよりも小さい内側長さを有する射出成形リングとは対照的である。異なる内側長さと外側長さを有するリングを巻くときには、その巻きプロセスは不均一となる。
【０１９５】
図９は、更に、ばねの形状であるアプリケーターを示す。この場合に、このばねは、実質的に伸縮性のフィルム材料を巻く最中に圧縮されなければならない。伸縮性フィルム材料を巻いた後にこのばねが解除されるとき、このばねは、取付部材の径を拡大させ、これによって陰茎棒状部上に取付部材が最初に位置決めされることを可能にする。
【０１９６】
図１０ａから図１０ｆは、互いにフィットして単一の成形スティックを形成することが可能な略Ｕ字形の断面を有する２つの成形スティック２７１ａ、２７１ｂを具備するアプリケーター２７１の異なる図を示す。この２つの成形スティックは、各々の成形スティックの中間部５０％だけが重なり合うように、図１０ａに示されている仕方で連結されている。次いで２つの別々の成形スティックで構成されているこの成形スティックは、直線（図１０ａに示されている）であるときには重なり合っていない第１及び第２の成形スティックの一部分が互いに連結されている円形の形状を形成するように曲げられる。連結された成形スティックの断面が図１０ｃに示される。径を伸張するためにアプリケーターが引っ張られると、２つの成形スティックが互いに対してその長手軸線に沿ってスライドし、分離する。Ｕ字形の断面が他方のＵ字形断面から解除されるので、このＵ字形は、図１０ｅに示されているように、予め巻き上げられた取付部材からの力によって潰れる。従って、伸張されたアプリケーターは可逆的にその当初のサイズに収縮することが不可能であり、及び、その新たな「伸張させられた」形状を保持する。例１０によるアプリケーターの利点が、取付部材がアプリケーター上に巻き上げられることが可能であり、且つ、略弛緩した状態で貯蔵され、且つ、使用の直前に伸張させられることが可能であるということである。従って、柔軟なＴＰＥのクリープに関する問題が解決される。
【０１９７】
図１０ａは、成形スティックの形状であるアプリケーター２７１の例の長手方向における断面図を示す。
【０１９８】
図１０ｂは、アプリケーターのＵ字形の成形スティック２７１ａの例の拡大円形断面図を示す。
【０１９９】
図１０ｃは、伸張可能なアプリケーターを共に形成する互いにフィットされている２つのＵ字形成形スティック２１７ａ、２１７ｂの例の拡大円形断面図を示す。
【０２００】
図１０ｄは、１つの伸張可能なアプリケーターを共に形成する互いにフィットされた２つのＵ字形に湾曲した成形スティック２１７ａ、２１７ｂを具備するアプリケーター２７１の周りに予め巻かれた取付部材２０１の平面図を示す。
【０２０１】
図１０ｅは、伸張されたアプリケーターのＵ字形成形スティック２７１ａの例の拡大円形断面図を示す。取付部材の伸縮性フィルム材料の収縮力のために、スティック２７１ａのＵ字形が潰れており、従って、反対側のＵ字形スティック２７１ｂは２７１ａの中にフィットしないということに留意されたい。
【０２０２】
図１０ｆは、Ｕ字形スティックが潰されているので、伸張するように引っ張られた２つのＵ字形成形スティック２１７ａ、２１７ｂを具備するアプリケーター２７１の周りに予め巻かれた取付部材２０１の平面図を示す。従って、このアプリケーターリングは伸張されており、従って、取付部材を陰茎上の内側位置に位置決めすることが可能である。
【０２０３】
この例では、アプリケーターは、その当初の径の２倍の大きさの径に伸張可能である。３つ、４つ、又は、５つのスティックを具備する成形スティックの形状及び形態が作られる場合には、そのアプリケーターは、同様に、その当初の径の３倍、４倍、又は、５倍にその当初の径を増倍することが可能である。更に、より小さい伸張が可能である。
【０２０４】
図１１ａと図１１ｂは、取付部材の取り付け中に陰毛を遮蔽するための遮蔽要素２８１の例の異なる図を示す。この遮蔽部材は、陰茎を受け入れるための穴又は形状２８５を具備する。
【０２０５】
図１１ａは、フランジ部分２８２と、陰茎を受け入れるための穴２８５とを有する、遮蔽要素２８１の例の断面図を示す。
【０２０６】
図１１ｂは、フランジ部分２８２と、陰茎を受け入れるための穴２８５とを有する、遮蔽要素２８１の例の正面図を示す。この遮蔽要素は、取付部材の取り付けの前に陰茎上に置かれて、穴が陰茎を受け入れることを可能にする。この遮蔽要素は、取付部材の巻き上げ解除プロセス中に陰毛が取り付け部材に絡みつくこと及び／又は取り付け部材の中に巻き込まれることを防止する。取付部材が取り付けられるときに、この遮蔽要素は取り外される。この遮蔽要素は様々な材料から作られることが可能である。例が薄い繊維シートであり、別の例が紙又はプラスチックの薄いシートである。
【０２０７】
図１２ａから図１２ｅは、別個の部材２９１の形状である「外部」アプリケーターの例の様々な図を示す。この例では、取付部材はアプリケーターの周りに巻かれておらず、取付部材２００を受け入れるための空間２９４内に置かれている。このタイプのアプリケーターは「外部」アプリケーターと呼ばれることが可能であり、一方、例えば図９と図１０のアプリケーターは「内部」アプリケーターと呼ばれることが可能である。
【０２０８】
図１２ａは、別個の部材２９１の形状であるアプリケーターの例の断面図を示す。このアプリケーター２９１は、取付部材を受け入れるため空間２９４を有する。
【０２０９】
図１２ｂは、図１２ａのアプリケーターの正面図を示す。取付部材を受け入れるため空間２９４がアプリケーター２９１上に示されている。
【０２１０】
図１２ｃは、取付部材２００を保持する図１２ａ及び図１２ｂのアプリケーターの断面図を示す。取付部材２００はアプリケーター２９１の空間２９４内に配置されている。
【０２１１】
図１２ｄは、陰茎５００上の内側位置に配置されている取付部材２００を備える図１２ａのアプリケーターの断面図を示す。
【０２１２】
図１２ｅは、取付部材２００がアプリケーターから巻き戻されて陰茎上に巻かれた図１２ａのアプリケーターの断面図を示す。
【０２１３】
図１２ａから図１２ｅに示されるようにアプリケーターを使用して陰茎上に取付部材を取り付けるときに、予め巻かれている取付部材２００が、手作業で取付部材の径を拡大してアプリケーター２９１の空間２９４内に配置することによって、そのアプリケーター２９１の空間２９４内に配置される。その次に、アプリケーターは、陰茎上の内側位置に配置され、その後で、取付部材を陰茎上に外側方向に巻く。取付部材が陰茎上に巻かれるときには、アプリケーターは、取付部材をアプリケーターから引き離して陰茎からアプリケーターを取り外すことによって、アプリケーターが取り外される。
【０２１４】
図１２ａから図１２ｅの実施形態において、アプリケーターは、陰茎の外径よりも大きな固定された径を有する。しかしながら、取付部材が貯蔵中にすでにアプリケーター上に取付けられ且つアプリケーターが手作業で伸張され、これによって、更に、アプリケーターを陰茎上の内側位置に配置する前に取付部材が伸張することを生じさせる、「外部」アプリケーター（図示せず）を想定することも可能である。１つの実施形態（図示せず）では、アプリケーターは、そのアプリケーターが第１の寸法において伸張するが伸張後には収縮しないことを可能にするラチェット機構を具備する。
【０２１５】
図１３は、別個の要素２９１の形態である「外部」アプリケーターの断面図を示し、アプリケーターは遮蔽要素２８１を具備する。アプリケーター２９１は、取付部材を受け入れるための空間２９４を有する。遮蔽要素は、取付部材の取り付け中に陰毛を保護するためのフランジ部分２８２を有する。このようにして、取付部材を取り付ける人間が、患者の体に押しつけて遮蔽要素を配置し、その次に、取付部材を巻き上げ解除している間に遮蔽要素によってアプリケーター／遮蔽要素を所定の位置に保持することが可能である。
【０２１６】
図１４ａと図１４ｂは、遮蔽要素２８１を具備する取付部材２００の断面図を示す。この取付部材は円筒形部分２０１と開口部２０２、２０３とを有する。
【０２１７】
図１４ａは、フランジ部分２８２を備える遮蔽要素２８１を具備する取付部材２００の断面図を示す。取付部材は、予め巻かれている円筒形の伸縮性フィルムと共に図示されている。
【０２１８】
図１４ｂは、フランジ部分２８２を備える遮蔽要素２８１を具備する取付部材２００の断面図を示す。円筒形の伸縮性フィルム部分２０１は、第１及び第２開口部２０３、２０２と共に、巻き上げ解除された状態で図示されている。
【０２１９】
図１４ａと図１４ｂの実施形態は、遮蔽要素の材料が取付部材の材料と同一であるように遮蔽要素と取付部材とが一体状に形成されているように製造されることが可能である。しかしながら、遮蔽要素が第１の材料で作られており且つ取付部材が第２の材料で作られており且つこの２つの材料が接着剤で接合されている実施形態を想定することが可能である。更に、取付部材を陰茎上に取り付けた後に遮蔽要素が取付部材から分離させられることが可能である実施形態を想定することが可能である。これは、例えば、取付部材と遮蔽要素との間のミシン目線によって実現されることが可能である。
【０２２０】
図１５は、遮蔽要素２８１と巻き上げ解除補助要素２９８とを具備する取付部材２００の断面図を示す。遮蔽要素はフランジ部分２８２を具備する。巻き上げ解除補助要素２９８は２つのストリップを備え、これらのストリップは取付部材の中に巻き込まれており且つ互いに取付けられている。取付部材を巻き上げ解除するときに、使用者は、遮蔽要素２８１を介して取付部材の基部を所定の位置に保持しながら、陰茎上で外側方向に巻き上げ解除補助要素２９８を単純に引っ張る。
【０２２１】
図１６は、伸縮性フィルム２０１の略円筒形の部分が変化する内径を有する取付部材２００の断面図を示す。    これは、取付部材が、他のものよりも陰茎に対してより強力な取付けを備える区域を有することを可能にする。略円筒形の部分の異なる部分における内径が変化する図１に示されている取付部材のような取付部材の「内径」に言及するときに、特許請求項で使用されているような「内径」が、取付部材が陰茎上に取り付けられるときに陰茎に係合する１つ又は複数の部分の平均径として理解されなければならないということに留意されたい。例えば、図１６に示されている実施形態において、波形パターンの「振幅」に応じて、波形の外側部分が陰茎とは接触していないと同時に内側部分が陰茎と接触していることが可能である。従って「内径」を定義するときには、陰茎と接触している部分だけが考察されなければならない。
【０２２２】
図１７ａから図１７ｃは、円筒形である伸縮性フィルム２０１と連結部材２３１とを伴う取付部材２００を具備する部品キットの断面図を示す。円筒形である伸縮性フィルム２０１は陰茎５００上に配置されている。この例では、連結部材２３１はコネクタの形態であり、更に詳細には、汎用コネクタの形態である。この汎用コネクタ２３１の少なくとも一部分は柔軟であり、尿バッグ２３４に連結されるようになっている。尿バッグは、典型的には、チューブの端部にプラスチック製コネクタを有する。このコネクタは、尿バッグがあらゆるカテーテルにフィットすることを可能にする典型的な標準的寸法を有する。本発明による取付部材が必ずしも典型的なコネクタを備えているわけではないので、この汎用コネクタ２３１は、柔軟な部品２３４を介して標準的な尿バッグに取付部材をフィットし得ることを確実とする。
【０２２３】
図１７ａは、略円筒形である伸縮性フィルム２０１と汎用コネクタ２３１とを備えつつもこれらの２つの部品が連結されていない、取付部材２００を具備する部品キットの断面図を示す。この汎用コネクタは、円筒形である伸縮性フィルム２０１の内部に挿入されるように構成された中空のインサータ（ｉｎｓｅｒｔｅｒ）２３８と、このインサータと円筒形である伸縮性フィルムとの間の液密シールを生じさせるように構成された中空のシーリング要素２３６と、あらゆる尿バッグに連結されるように構成された柔軟な管状部品２３４と、を具備する。
【０２２４】
図１７ｂでは、円筒形である伸縮性フィルム２０１と汎用コネクタ２３１との間の連結部が確立されている。インサータ２３８は円筒形である伸縮性フィルム２０１の中に挿入されており、一方、円筒形である伸縮性フィルム２０１はシーリング要素２３６の中を通して引き出されている。
【０２２５】
図１７ｃでは、円筒形である伸縮性フィルム２０１と汎用コネクタ２３１との間の連結は完了している。シーリング要素２３６はインサータ２３８に押しつけられており、これによってシールを形成し、円筒形である伸縮性フィルム２０１の内部を柔軟な管状部品２３４の出口２３４１と液密に連通させている。
【０２２６】
図１８ａから図１８ｃは、円筒形の伸縮性フィルム２０１と連結部材２３１とを伴う取付部材２００を具備する部品キットの断面図を示す。この円筒形の伸縮性フィルム２０１は陰茎５００上に配置されている。連結部材は、尿バッグの内部と液密に連通している。
【０２２７】
図１８ａは、円筒形の伸縮性フィルム２０１を伴う取付部材２００とコネクタ２３１とを備え、これら２つの部品が連結されていない、部品キットの断面図を示す。このコネクタは、略円筒形である伸縮性フィルム２０１の内部に挿入されるようになっている中空のインサータ２３８と、このインサータと円筒形である伸縮性フィルムとの間の液密シールを生じさせるようになっている中空のシーリング要素２３６とを具備する。
【０２２８】
図１８ｂでは、円筒形である伸縮性フィルム２０１とコネクタ２３１との間の連結が行われている。インサータ２３８は円筒形である伸縮性フィルム２０１の中に挿入されている。
【０２２９】
図１８ｃでは、円筒形である伸縮性フィルム２０１とコネクタ２３１との間の連結が完了している。シーリング要素２３６はインサータ２３８上に押しつけられており、これによってシールを形成している。
【０２３０】
本明細書が、幾つかの分割出願のための基礎を形成し得る幾つかの発明を開示しているということに留意されたい。例えば、本明細書の特許請求項第１項の請求範囲が、特定の寸法を有し且つ巻き上げられる取付部材の実施形態に限定されているということを指摘することが可能である。しかし、取付部材の寸法に関して固有の制限なしに、より一般的な取付部材に向けられているが、その代わりに、部品キットの形に上記のアプリケーターと組み合わされており、更に、おそらくは、この出願に開示されている１つ又は複数の他の特徴要素を含む、分割出願が想定され得る。この例の分割出願に関する独立請求項の基礎が本明細書の特許請求項第１８項に見いだされることが可能である。
【０２３１】
別の例では、より一般的な取付部材に限定されているが、その限定的な特徴が本明細書で説明されている特定の可撓性／伸縮性に限定されている取付部材の伸縮性フィルム材料の伸縮性である、分割出願が考慮され得る。この分割出願に関する独立請求項の基礎が本明細書の特許請求項第１７項に見いだされることが可能である。分割出願の更に別の可能性が、遮蔽要素との組み合わせにおける、本明細書に開示されているがそのサイズに関する制限がない取付部材である。この分割出願に関する独立請求項の基礎が本明細書の特許請求項第１９項に見いだされることが可能である。
【０２３２】
これらの及び他の想定可能な分割出願に関して、従属請求項に開示されている組み合わせのすべてと、特定の寸法を有する取付部材に関連したこの明細書で開示されている実施形態の特徴／要素のすべてとが、上述の他の独立請求項のいずれとも組み合わされることが可能であるということが、当業者には明白であるはずである。
【図１ａ】
2013519408.tif 000003
【図１ｂ】
2013519408.tif 000004
【図１ｃ】
2013519408.tif 000005
【図１ｄ】
2013519408.tif 000006
【図２】
2013519408.tif 000007
【図３】
2013519408.tif 000008
【図４ａ】
2013519408.tif 000009
【図４ｂ】
2013519408.tif 000010
【図４ｃ】
2013519408.tif 000011
【図５ａ】
2013519408.tif 000012
【図５ｂ】
2013519408.tif 000013
【図６ａ】
2013519408.tif 000014
【図６ｂ】
2013519408.tif 000015
【図６ｃ】
2013519408.tif 000016
【図７】
2013519408.tif 000017
【図８】
2013519408.tif 000018
【図９ａ】
2013519408.tif 000019
【図９ｂ】
2013519408.tif 000020
【図９ｃ】
2013519408.tif 000021
【図１０ａ】
2013519408.tif 000022
【図１０ｂ】
2013519408.tif 000023
【図１０ｃ】
2013519408.tif 000024
【図１０ｄ】
2013519408.tif 000025
【図１０ｅ】
2013519408.tif 000026
【図１０ｆ】
2013519408.tif 000027
【図１１ａ】
2013519408.tif 000028
【図１１ｂ】
2013519408.tif 000029
【図１２ａ】
2013519408.tif 000030
【図１２ｂ】
2013519408.tif 000031
【図１２ｃ】
2013519408.tif 000032
【図１２ｄ】
2013519408.tif 000033
【図１２ｅ】
2013519408.tif 000034
【図１３】
2013519408.tif 000035
【図１４ａ】
2013519408.tif 000036
【図１４ｂ】
2013519408.tif 000037
【図１５】
2013519408.tif 000038
【図１６】
2013519408.tif 000039
【図１７ａ】
2013519408.tif 000040
【図１７ｂ】
2013519408.tif 000041
【図１７ｃ】
2013519408.tif 000042
【図１８ａ】
2013519408.tif 000043
【図１８ｂ】
2013519408.tif 000044
【図１８ｃ】
2013519408.tif 000045
【国際調査報告】
2013519408.tif 000046
2013519408.tif 000047
2013519408.tif 000048